(57)【要約】  広告・案内画像コンテンツの配信制御を行う映像情報配信装置２および列車情報装置１からの列車情報に基づいて生成した運行画像コンテンツを保持し、映像情報配信装置２から配信された広告・案内画像コンテンツを蓄積し、映像情報配信装置２が作成した表示スケジュールに基づいて表示器５，６に表示すべき運行画像および広告・案内画像の表示を制御する表示制御装置４を備え、映像情報配信装置２は、運行画像コンテンツを管理する運行画像スケジューラ２２および広告・案内画像コンテンツを管理する広告・案内画像スケジューラ２１を有し、表示器５，６における運行画像から広告・案内画像への切り替え、または広告・案内画像から運行画像への切り替えを、運行画像スケジューラ２２の制御によって実行する。
2011004666.tif 000002
【特許請求の範囲】
【請求項１】
列車内の表示器に、広告・案内画像コンテンツと、列車情報に基づいて生成した運行画像コンテンツとを含む列車コンテンツ情報を表示する列車搭載コンテンツ配信システムにおいて、
前記列車コンテンツ情報の表示スケジュールの管理を行うと共に、前記広告・案内画像コンテンツを格納し、この広告・案内画像コンテンツの配信制御を行う映像情報配信装置と、
前記運行画像コンテンツを保持すると共に、前記映像情報配信装置から配信された表示すべき広告・案内画像コンテンツを一時的に蓄積し、前記映像情報配信装置が作成した表示スケジュールに基づいて前記表示器に表示すべき運行画像および広告・案内画像の表示を制御する表示制御装置と、
を備え、
前記映像情報配信装置は、
前記表示スケジュールに含まれる運行画像コンテンツを管理する運行画像スケジューラと、
前記表示スケジュールに含まれる広告・案内画像コンテンツを管理する広告・案内画像スケジューラと、
を有し、
前記表示器における運行画像から広告・案内画像への切り替えは、前記広告・案内画像スケジューラから、当該広告・案内画像の表示準備完了の通知を受けた前記運行画像スケジューラの制御によって実行されることを特徴とする列車搭載コンテンツ配信システム。
【請求項２】
列車内の表示器に、広告・案内画像コンテンツと、列車情報に基づいて生成した運行画像コンテンツとを含む列車コンテンツ情報を表示する列車搭載コンテンツ配信システムにおいて、
前記列車コンテンツ情報の表示スケジュールの管理を行うと共に、前記広告・案内画像コンテンツを格納し、この広告・案内画像コンテンツの配信制御を行う映像情報配信装置と、
前記列車情報に基づいて生成した運行画像コンテンツを保持すると共に、前記映像情報配信装置から配信された表示すべき広告・案内画像コンテンツを一時的に蓄積し、前記映像情報配信装置が作成した表示スケジュールに基づいて前記表示器に表示すべき運行画像および広告・案内画像の表示を制御する表示制御装置と、
を備え、
前記映像情報配信装置は、
前記表示スケジュールに含まれる運行画像コンテンツを管理する運行画像スケジューラと、
前記表示スケジュールに含まれる広告・案内画像コンテンツを管理する広告・案内画像スケジューラと、
を有し、
前記表示器における広告・案内画像から運行画像への切り替えは、前記表示器制御部から、当該運行画像の表示準備完了の通知と、前記広告・案内画像スケジューラから、現在表示されている広告・案内画像の表示終了時刻の通知と、を受けた前記運行画像スケジューラの制御によって実行されることを特徴とする列車搭載コンテンツ配信システム。
【請求項３】
前記広告・案内画像の表示器への表示に先立って、前記広告・案内画像コンテンツを予め前記表示制御装置に蓄積しておくことを特徴とする請求項１または２に記載の列車搭載コンテンツ配信システム。
【請求項４】
前記表示スケジュールは、複数の表示シーケンスから構成されており、当該表示シーケンス間の移行は、前記列車情報を基に前記映像情報配信装置が判断することを特徴とする請求項１〜３の何れか１項に記載の列車搭載コンテンツ配信システム。
【請求項５】
前記映像情報配信装置が、次の表示シーケンスヘの移行を判断しない場合には、現在表示中の表示シーケンスが繰り返し表示されることを特徴とする請求項４に記載の列車搭載コンテンツ配信システム。
【請求項６】
現在表示中のコンテンツが広告・案内画像であり、次に表示予定のコンテンツが運行画像の場合、広告・案内画像から運行画像への切り替えは、広告・案内画像の終了を待って切り替えられることを特徴とする請求項１〜５の何れか１項に記載の列車搭載コンテンツ配信システム。
【請求項７】
前記表示シーケンスに含まれる列車コンテンツ情報として、少なくとも１つの広告・案内画像コンテンツと、複数の運行画像コンテンツとが含まれるとき、
前記複数の運行画像コンテンツのうち、前記広告・案内画像コンテンツの表示後に表示される運行画像コンテンツとして相対的に優先度の低い運行画像コンテンツが組み込まれていることを特徴とする請求項６に記載の列車搭載コンテンツ配信システム。
【請求項８】
列車内に具備される第１、第２の表示器に、広告・案内画像コンテンツと、列車情報に基づいて生成した運行画像コンテンツとを含む列車コンテンツ情報を表示する列車搭載コンテンツ配信システムにおいて、
前記列車コンテンツ情報の表示スケジュールの管理を行うと共に、前記広告・案内画像コンテンツを格納し、この広告・案内画像コンテンツの配信制御を行う映像情報配信装置と、
前記列車情報に基づいて生成した運行画像コンテンツを格納すると共に、前記映像情報配信装置から配信された表示すべき広告・案内画像コンテンツを一時的に蓄積し、前記映像情報配信装置が作成した表示スケジュールに基づいて、前記第１の表示器に表示すべき広告・案内画像および運行画像の表示と、前記第２の表示器に表示すべき運行画像の表示とを制御する表示制御装置と、
を備え、
前記映像情報配信装置は、
前記表示スケジュールに含まれる運行画像コンテンツを管理する運行画像スケジューラと、
前記表示スケジュールに含まれる広告・案内画像コンテンツを管理する広告・案内画像スケジューラと、
を有し、
前記第１の表示器における運行画像から広告・案内画像への切り替えは、前記広告・案内画像スケジューラから、当該広告・案内画像の表示準備完了の通知を受けた前記運行画像スケジューラの制御によって実行されることを特徴とする列車搭載コンテンツ配信システム。
【請求項９】
列車内に具備される第１、第２の表示器に、広告・案内画像コンテンツと、列車情報に基づいて生成した運行画像コンテンツとを含む列車コンテンツ情報を表示する列車搭載コンテンツ配信システムにおいて、
前記列車コンテンツ情報の表示スケジュールの管理を行うと共に、前記広告・案内画像コンテンツを格納し、この広告・案内画像コンテンツの配信制御を行う映像情報配信装置と、
前記列車情報に基づいて生成した運行画像コンテンツを格納すると共に、前記映像情報配信装置から配信された表示すべき広告・案内画像コンテンツを一時的に蓄積し、前記映像情報配信装置が作成した表示スケジュールに基づいて、前記第１の表示器に表示すべき広告・案内画像および運行画像の表示と、前記第２の表示器に表示すべき運行画像の表示とを制御する表示制御装置と、
を備え、
前記映像情報配信装置は、
前記表示スケジュールに含まれる運行画像コンテンツを管理する運行画像スケジューラと、
前記表示スケジュールに含まれる広告・案内画像コンテンツを管理する広告・案内画像スケジューラと、
を有し、
前記第１の表示器における広告・案内画像から運行画像への切り替えは、前記表示制御装置から、当該運行画像の表示準備完了の通知と、前記広告・案内画像スケジューラから、現在表示されている広告・案内画像の表示終了時刻の通知と、を受けた前記運行画像スケジューラの制御によって実行されることを特徴とすることを特徴とする列車搭載コンテンツ配信システム。
【請求項１０】
前記広告・案内画像の前記第１の表示器への表示に先立って、前記広告・案内画像コンテンツを予め前記表示制御装置に蓄積しておくことを特徴とする請求項８または９に記載の列車搭載コンテンツ配信システム。
【請求項１１】
前記表示スケジュールは、前記第１および第２の表示器毎に複数の表示シーケンスから構成されており、当該各表示シーケンス間の移行は、前記列車情報を基に前記映像情報配信装置が判断することを特徴とする請求項８〜１０の何れか１項に記載の列車搭載コンテンツ配信システム。
【請求項１２】
前記映像情報配信装置が、次の表示シーケンスヘの移行を判断しない場合には、現在表示中の表示シーケンスが繰り返し表示されることを特徴とする請求項１１に記載の列車搭載コンテンツ配信システム。
【請求項１３】
前記第１の表示器において、現在表示中のコンテンツが広告・案内画像であり、次に表示予定のコンテンツが運行画像の場合、広告・案内画像から運行画像への切り替えは、広告・案内画像の終了を待って切り替えられることを特徴とする請求項８〜１２の何れか１項に記載の列車搭載コンテンツ配信システム。
【請求項１４】
前記第１の表示器に表示された広告・案内画像の表示が引き延ばされ、広告・案内画像から運行画像への切り替えが広告・案内画像の終了を待って切り替えられた場合、前記広告・案内画像の表示に合わせて前記第２の表示器に表示される運行画像の表示の終了を前記広告・案内画像の表示の終了に合わせることを特徴とする請求項１３に記載の列車搭載コンテンツ配信システム。
【請求項１５】
前記第１の表示器に対する表示シーケンスに含まれる列車コンテンツ情報として、少なくとも１つの広告・案内画像コンテンツと、複数の運行画像コンテンツとが含まれるとき、
前記複数の運行画像コンテンツのうち、前記広告・案内画像コンテンツの表示後に表示される運行画像コンテンツとして相対的に優先度の低い運行画像コンテンツが組み込まれていることを特徴とする請求項１３または１４に記載の列車搭載コンテンツ配信システム。
【請求項１６】
列車内の表示器に表示すべき列車コンテンツ情報のうち、列車情報に基づいて生成した運行画像コンテンツを管理する運行画像スケジューラと、広告・案内画像コンテンツを管理する広告・案内画像スケジューラと、前記広告・案内画像コンテンツを格納する第１の記憶部と、広告・案内画像コンテンツの表示に先立ち、表示すべき広告・案内画像コンテンツを一時的に蓄積しておく広告・案内画像記憶バッファと、前記運行画像コンテンツを格納する第２の記憶部と、予め設定された表示スケジュールに基づいて前記表示器に表示すべき運行画像および広告・案内画像の表示を制御する表示器制御部と、を備えた列車搭載コンテンツ配信システムに適用される列車コンテンツ情報の表示方法であって、
前記表示器における運行画像から広告・案内画像への切り替えは、前記広告・案内画像スケジューラから、当該広告・案内画像の表示準備完了の通知を受けた前記運行画像スケジューラの制御によって実行されることを特徴とする列車コンテンツ情報の表示方法。
【請求項１７】
列車内の表示器に表示すべき列車コンテンツ情報のうち、列車情報に基づいて生成した運行画像コンテンツを管理する運行画像スケジューラと、広告・案内画像コンテンツを管理する広告・案内画像スケジューラと、前記広告・案内画像コンテンツを格納する第１の記憶部と、広告・案内画像コンテンツの表示に先立ち、表示すべき広告・案内画像コンテンツを一時的に蓄積しておく広告・案内画像記憶バッファと、前記運行画像コンテンツを格納する第２の記憶部と、予め設定された表示スケジュールに基づいて前記表示器に表示すべき運行画像および広告・案内画像の表示を制御する表示器制御部と、を備えた列車搭載コンテンツ配信システムに適用される列車コンテンツ情報の表示方法であって、
前記表示器における広告・案内画像から運行画像への切り替えは、前記表示器制御部から、当該運行画像の表示準備完了の通知と、前記広告・案内画像スケジューラから、現在表示されている広告・案内画像の表示終了時刻の通知と、を受けた前記運行画像スケジューラの制御によって実行されることを特徴とする列車コンテンツ情報の表示方法。
【請求項１８】
列車内に具備される第１、第２の表示器に表示すべき列車コンテンツ情報のうち、列車情報に基づいて生成した運行画像コンテンツを管理する運行画像スケジューラと、広告・案内画像コンテンツを管理する広告・案内画像スケジューラと、前記広告・案内画像コンテンツを格納する第１の記憶部と、広告・案内画像コンテンツの表示に先立ち、表示すべき広告・案内画像コンテンツを一時的に蓄積しておく広告・案内画像記憶バッファと、前記運行画像コンテンツを格納する第２の記憶部と、予め設定された表示スケジュールに基づいて、前記第１の表示器に表示すべき運行画像および広告・案内画像の表示を制御する第１の表示器制御部と、前記第２の表示器に表示すべき運行画像の表示を制御する第２の表示器制御部と、を備えた列車搭載コンテンツ配信システムに適用される列車コンテンツ情報の表示方法であって、
前記第１の表示器における運行画像から広告・案内画像への切り替えは、前記広告・案内画像スケジューラから、当該広告・案内画像の表示準備完了の通知を受けた前記運行画像スケジューラの制御によって実行されることを特徴とする列車コンテンツ情報の表示方法。
【請求項１９】
列車内に具備される第１、第２の表示器に表示すべき列車コンテンツ情報のうち、列車情報に基づいて生成した運行画像コンテンツを管理する運行画像スケジューラと、広告・案内画像コンテンツを管理する広告・案内画像スケジューラと、前記広告・案内画像コンテンツを格納する第１の記憶部と、広告・案内画像コンテンツの表示に先立ち、表示すべき広告・案内画像コンテンツを一時的に蓄積しておく広告・案内画像記憶バッファと、前記運行画像コンテンツを格納する第２の記憶部と、予め設定された表示スケジュールに基づいて、前記第１の表示器に表示すべき運行画像および広告・案内画像の表示を制御する第１の表示器制御部と、前記第２の表示器に表示すべき運行画像の表示を制御する第２の表示器制御部と、を備えた列車搭載コンテンツ配信システムに適用される列車コンテンツ情報の表示方法であって、
前記第１の表示器における広告・案内画像から運行画像への切り替えは、前記第２の表示器制御部から、当該運行画像の表示準備完了の通知と、前記広告・案内画像スケジューラから、現在表示されている広告・案内画像の表示終了時刻の通知と、を受けた前記運行画像スケジューラの制御によって実行されることを特徴とする列車コンテンツ情報の表示方法。
【請求項２０】
前記第１の表示器に表示する列車コンテンツ情報と、前記第２の表示器に表示する列車コンテンツ情報とが互いに関連する情報の場合、
前記第１および第２の表示器に表示するタイミングを互いに同期させて表示することを特徴とする請求項１８または１９に記載の列車コンテンツ情報の表示方法。
【発明の詳細な説明】
【技術分野】
【０００１】
本発明は、列車内の表示器に、例えば次駅案内、乗換案内などの列車の運行に関わる情報を静止画で表したコンテンツ情報（以下「運行画像コンテンツ」と称する）および、例えば製品等を宣伝する広告情報や、ニュース、天気予報、株価情報などの案内情報を動画または静止画で表したコンテンツ情報（以下「広告・案内画像コンテンツ」と称する）を含む列車コンテンツ情報を表示する列車搭載コンテンツ配信システムおよび列車コンテンツ情報の表示方法に関する。
【背景技術】
【０００２】
近年運行される列車においては、より快適な運行、効率的で安全な運行を目的とし、各車両の車載機器、例えば、ドア、エアコン、ブレーキ、モータ、ＡＴＯ、ＳＩＶ、自動放送装置等と、列車情報を収集し、監視、制御するための列車制御装置との通信にディジタル伝送路を使用しているが、近年のネットワーク技術により大容量のディジタル伝送路を適用することができるため、映像情報等の配信も可能である。【０００３】
映像情報等の配信には、安全走行のため、運転士、乗務員が駅ホームにある固定カメラからの映像情報を収集し監視する用途や、乗客に対して有益な情報、例えば行先案内、次駅案内、停車駅案内、運行情報（到着時間の変更案内）などの列車運行に関する情報の配信や、ニュース、天気予報、広告、地域情報（停車駅周辺の特有な情報）などの乗客サービスの用途がある。【０００４】
ところで、この種の従来のシステムでは、運行画像コンテンツを表示する際に、圧縮されたコンテンツデータを読み込みと共に、読み込んだデータを解凍してメモリに展開し、表示させるまでに数秒必要である。このため、運行画像から運行画像への表示切替時において人間の目で明らかに気付く無表示期間（以下「ブランク」という）があるという問題点があった。【０００５】
一方、下記特許文献１のシステムでは、運行画像を表示前にあらかじめ展開して準備しておき、表示コマンドのコンテンツ切替タイミングをとることにより、現在表示中の運行画像から準備しておいた運行画像への切替をシームレスに行うようにしている。
【先行技術文献】
【特許文献】
【０００６】
【特許文献１】特開２００５−５７５２４号公報
【発明の概要】
【発明が解決しようとする課題】
【０００７】
しかしながら、上記特許文献１に示されるような従来のシステムでは、運行画像表示間の切替時に生ずるブランクは考慮されているが、運行画像から広告・案内画像、または広告・案内画像から運行画像への表示切替時に生ずるブランクに関する考慮は一切なされていない。【０００８】
本発明は、上記に鑑みてなされたものであって、広告・案内画像から運行画像、および運行画像から広告・案内画像へのシームレスな表示切替を可能とする列車搭載コンテンツ配信システムおよび列車コンテンツ情報の表示方法を提供することを目的とする。
【課題を解決するための手段】
【０００９】
上述した課題を解決し、目的を達成するため、本発明にかかる列車搭載コンテンツ配信システムは、列車内の表示器に、広告・案内画像コンテンツと、列車情報に基づいて生成した運行画像コンテンツとを含む列車コンテンツ情報を表示する列車搭載コンテンツ配信システムにおいて、前記列車コンテンツ情報の表示スケジュールの管理を行うと共に、前記広告・案内画像コンテンツを格納し、この広告・案内画像コンテンツの配信制御を行う映像情報配信装置と、前記運行画像コンテンツを保持すると共に、前記映像情報配信装置から配信された表示すべき広告・案内画像コンテンツを一時的に蓄積し、前記映像情報配信装置が作成した表示スケジュールに基づいて前記表示器に表示すべき運行画像および広告・案内画像の表示を制御する表示制御装置と、を備え、前記映像情報配信装置は、前記表示スケジュールに含まれる運行画像コンテンツを管理する運行画像スケジューラと、前記表示スケジュールに含まれる広告・案内画像コンテンツを管理する広告・案内画像スケジューラと、を有し、前記表示器における運行画像から広告・案内画像への切り替えは、前記広告・案内画像スケジューラから、当該広告・案内画像の表示準備完了の通知を受けた前記運行画像スケジューラの制御によって実行されることを特徴とする。
【発明の効果】
【００１０】
この発明によれば、広告・案内画像から運行画像、および運行画像から広告・案内画像へのシームレスな表示切替を可能とする列車搭載コンテンツ配信システムを提供することができるという効果を奏する。
【図面の簡単な説明】
【００１１】
【図１】図１は、本発明の実施の形態１にかかる列車搭載コンテンツ配信システムの構成を示す図である。
【図２】図２は、実施の形態１の列車搭載コンテンツ配信システムの機能を具現する列車情報装置、映像情報配信装置および表示制御装置の細部構成を示す図である。
【図３】図３は、実施の形態１における表示シーケンスと表示コンテンツの概念を説明するための図である。
【図４】図４は、実施の形態１の表示制御を説明するためのシーケンス図である。
【図５】図５は、実施の形態２の列車搭載コンテンツ配信システムの機能を具現する列車情報装置、映像情報配信装置および表示制御装置の細部構成を示す図である。
【図６】図６は、実施の形態２における表示シーケンスと表示コンテンツの概念を説明するための図である。
【図７】図７は、実施の形態２の表示制御を説明するためのシーケンス図である。
【発明を実施するための形態】
【００１２】
以下に添付図面を参照して、本発明の実施の形態に係る列車搭載コンテンツ配信システムを詳細に説明する。なお、以下の内容により本発明が限定されるものではない。
【００１３】
実施の形態１．
図１は、本発明の実施の形態１にかかる列車搭載コンテンツ配信システムの構成を示す図である。実施の形態１の列車搭載コンテンツ配信システムは、図１に示すように、列車情報装置１、映像情報配信装置２、分岐装置３、表示制御装置４および、表示器５，６を備えて構成される。この列車搭載コンテンツ配信システムでは、表示器５，６に同一内容の運行画像および広告・案内画像を適宜切り替えて表示することが可能であると共に、広告・案内画像から運行画像への切り替え、および運行画像から広告・案内画像への切り替えをシームレスに行うことが可能である。これらの機能は、映像情報配信装置２に設けられる運行画像スケジューラおよび広告・案内画像スケジューラ（詳細は後述）の機能によって実現される。なお、図１では、表示制御装置４に接続される２台の表示器を例示しているが、１台でもよく、また３台以上の表示器を接続することも可能である。また、数珠つなぎに接続されている分岐装置３を増設することで、表示制御装置４に接続される表示器の台数を増やすことなく、列車に搭載される表示器全体の数を増やすことも可能である。
【００１４】
図２は、実施の形態１の列車搭載コンテンツ配信システムの機能を具現する列車情報装置１、映像情報配信装置２および表示制御装置４の細部構成を示す図である。図２において、映像情報配信装置２は、広告・案内画像スケジューラ２１、運行画像スケジューラ２２および記憶部（第１の記憶部）２４を備え、表示制御装置４は、表示器制御部４１、記憶部（第２の記憶部）４２および広告・案内画像記憶バッファ４４を備えている。また、列車コンテンツ情報の一つである広告・案内画像コンテンツ２６は映像情報配信装置２の記憶部２４に格納され、列車コンテンツ情報の他の一つである運行画像コンテンツ４６は表示制御装置４の記憶部４２に格納されている。これらの構成部のうち、映像情報配信装置２に具備される広告・案内画像スケジューラ２１および運行画像スケジューラ２２ならびに、表示制御装置４に具備される表示器制御部４１の機能については後述する。広告・案内画像記憶バッファ４４は、運行画像から広告・案内画像への表示切替の同期をとるためのバッファであり、映像情報配信装置２からの広告・案内画像コンテンツ２６を一時的に蓄積するためのバッファ（図示省略）とは異なるものである。この広告・案内画像記憶バッファ４４により、広告・案内画像スケジューラ２１からの広告・案内画像表示指令が出力されたときには、表示対象の広告・案内画像が速やかに表示器５，６に出力される。
【００１５】
一方、列車情報装置１は、列車コンテンツ情報のうち特に運行画像コンテンツ４６の生成に必要な列車情報として、列車を識別するための列車番号などを含む列車識別情報１０ａ、始発駅からのキロ程、列車の走行エリアなどを含む列車位置情報１０ｂ、停車駅情報や到着予想時刻などを含む列車運行情報１０ｃ、到着時刻、乗客人数などを含む列車現況情報１０ｄおよび、ドア開閉指令、停止指令などを含む列車指令情報１０ｅを保持している。これらの列車情報は、特に、行先案内、次駅案内、停車駅案内など、本実施の形態の列車搭載コンテンツ配信システムにおける運行画像情報の生成に必要な情報であり、列車情報装置１から映像情報配信装置２および表示制御装置４に対し、適宜通知される。
【００１６】
図３は、実施の形態１にかかる表示シーケンスと表示コンテンツの概念を説明するための図である。図３の上段部には、表示スケジュールデータの一例として表示シーケンス１〜５が示されている。また、図３の下段部は、表示シーケンス３において繰り返し表示される表示コンテンツが例示されている。表示シーケンス３には、運行画像スケジューラ２２の管理対象である運行画像１〜３と、広告・案内画像スケジューラ２１の管理対象である広告・案内画像１〜３とが含まれており、図示の例では、「運行画像１」→「運行画像２」→「広告・案内画像１」→「広告・案内画像２」→「広告・案内画像３」→「運行画像３」の順の表示シーケンスが組まれている。
【００１７】
なお、図３に示す表示スケジュールデータは、表示するコンテンツ、表示時間などが記されている。表示シーケンス間の移行は、列車情報装置１からの列車情報（キロ程情報、列車走行速度情報）を基に映像情報配信装置２が判断する。映像情報配信装置が次のシーケンスヘの移行を決定しなければ、表示シーケンス内のスケジュールは、繰り返し表示される。
【００１８】
つぎに、実施の形態１における表示制御について、図４を参照して説明する。図４は、実施の形態１の表示制御を説明するためのシーケンス図である。なお、列車搭載コンテンツ配信システムにおける全体の表示制御は、運行画像スケジューラ２２が統括し、広告・案内画像スケジューラ２１は運行画像スケジューラ２２の指示に従って動作する。ただし、表示シーケンスに含まれる広告・案内画像コンテンツの管理および広告・案内画像コンテンツに関する表示指令の発出は、広告・案内画像スケジューラ２１が行う。また、表示器制御部４１は、表示器５，６に対する表示制御を行う。
【００１９】
図４において、運行画像スケジューラ２２は、表示制御装置４の表示器制御部４１に対して運行画像生成指令を出力する（シーケンスＳＱ１１）。運行画像生成指令を受領した表示器制御部４１は、運行画像の準備を行う（ステップＳＴ１１）。なお、運行画像は、通常、圧縮形式で保存されているため、そのままの状態では瞬時に表示することができない。そこで、このステップＳＴ１１の処理では、圧縮された運行画像を解凍する処理が実行される。表示器制御部４１は、運行画像の準備が完了すると、準備完了を運行画像スケジューラ２２に通知する（シーケンスＳＱ１２）。準備完了の通知を受けた運行画像スケジューラ２２は、表示器制御部４１に対して運行画像表示指令を出力する（シーケンスＳＱ１３）。運行画像表示指令を受領した表示器制御部４１は、解凍済みの運行画像を表示器に表示する（ステップＳＴ１２）。このように、シーケンスＳＱ１１〜ＳＱ１３の処理、およびステップＳＴ１１，ＳＴ１２の処理は、各表示器に運行画像を表示するための処理となる。なお、運行画像生成指令は、処理対象の運行画像よりも前に表示すべき運行画像が表示されているときに発出されることは無論である。
【００２０】
つぎに、運行画像表示から広告・案内画像表示への切替処理について説明する。図４の中段部に示すように、まず、広告・案内画像蓄積処理が行われる（ステップＳＴ２１）。この広告・案内画像蓄積処理では、広告・案内画像記憶バッファ４４に対し、表示対象の広告・案内画像コンテンツが蓄積される。広告・案内画像コンテンツの蓄積が完了すると、表示器制御部４１は、広告・案内画像スケジューラ２１に準備完了を通知し（シーケンスＳＱ２１）、広告・案内画像スケジューラ２１は、運行画像スケジューラ２２に準備完了を通知する（シーケンスＳＱ２２）。なお、ステップＳＴ２１の広告・案内画像蓄積処理では、表示すべき全ての広告・案内画像コンテンツが蓄積されている必要はない。広告・案内画像記憶バッファ４４は、あくまでも広告・案内画像表示から運行画像表示へ切り替え、運行画像表示から広告・案内画像表示へ切り替えをシームレスに行うために設けられたバッファであり、映像情報配信装置２からの広告・案内画像コンテンツを一時的に蓄積するバッファは別に存在するからである。
【００２１】
運行画像スケジューラ２２は、運行画像表示から広告・案内画像表示への切替タイミングを把握しており、運行画像スケジューラ２２から広告・案内画像スケジューラ２１を経由して表示器制御部４１に指令が届くまでの時間を考慮し、広告・案内画像スケジューラ２１に対し所定のタイミングで広告・案内画像表示指令を発出する（シーケンスＳＱ２３）。運行画像スケジューラ２２からの広告・案内画像表示指令を受領した広告・案内画像スケジューラ２１は、表示器制御部４１に対し広告・案内画像表示指令を発出する（シーケンスＳＱ２４）。広告・案内画像表示指令を受領した表示器制御部４１は、広告・案内画像表示を開始する（ステップＳＴ２２）。このようにして、運行画像表示から広告・案内画像表示への切替処理がシームレスに行われる。
【００２２】
つぎに、運行画像表示から広告・案内画像表示への切替処理について説明する。図４の下段部に示すように、まず、運行画像スケジューラ２２から表示器制御部４１に対して運行画像生成指令が発出され（シーケンスＳＱ３１）、表示器制御部４１は、圧縮された運行画像を解凍する処理などを行って表示すべき運行画像の準備を行う（ステップＳＴ３１）。運行画像の準備が完了すると、表示器制御部４１は、準備完了を運行画像スケジューラ２２に通知する（シーケンスＳＱ３３）。一方、広告・案内画像スケジューラ２１は、運行画像スケジューラ２２に対し現在表示中の広告・案内画像の終了時刻を予め通知しておく（シーケンスＳＱ３２）。運行画像スケジューラ２２は、広告・案内画像表示から運行画像表示への切替タイミングを把握しており、運行画像スケジューラ２２から表示器制御部４１に指令が届くまでの時間を考慮し、表示器制御部４１に対し所定のタイミングで運行画像表示指令を発出する（シーケンスＳＱ３４）。運行画像表示指令を受領した表示器制御部４１は、運行画像表示を開始する（ステップＳＴ３２）。このようにして、広告・案内画像表示から運行画像表示への切替処理がシームレスに行われる。
【００２３】
なお、上述の制御により、次のシーケンスの表示時間が短くなる可能性がある。この場合、表示スケジュールの表示シーケンス内の最後に組み込まれる運行画像（図３の例では「運行画像３」）については、例えば重要度が低い情報（例えば駅構内の情報のように、当該情報がなくても不満とならないような情報）としておけば、視聴者に不快感を与えない情報提供が可能となる。
【００２４】
以上説明したように、実施の形態１の列車搭載コンテンツ配信システムによれば、表示スケジュールに含まれる運行画像コンテンツを管理する運行画像スケジューラと、表示スケジュールに含まれる広告・案内画像コンテンツを管理する広告・案内画像スケジューラと、を設け、表示器における運行画像から広告・案内画像への切り替えは、広告・案内画像スケジューラから、当該広告・案内画像の表示準備完了の通知を受けた運行画像スケジューラの制御によって実行し、広告・案内画像から運行画像への切り替えは、表示制御部から、当該運行画像の準備完了の通知と、広告・案内画像スケジューラから、現在表示されている広告・案内画像の表示終了時刻の通知と、を受けた運行画像スケジューラの制御によって実行することとしたので、広告・案内画像から運行画像、および運行画像から広告・案内画像へのシームレスな切り替えが可能となる。
【００２５】
なお、実施の形態１では、表示制御装置４に運行画像コンテンツ４６を記憶する記憶部４２および広告・案内画像記憶バッファ４４を設ける構成について示したが、記憶部４２および広告・案内画像記憶バッファ４４を映像情報配信装置２に設ける構成とすることも可能である。この場合、図４に示すシーケンスは、映像情報配信装置２の内部にて実行されるシーケンスとなり、表示器制御装置４の表示器制御部４１は、送信されてきた広告・案内画像および運行画像の情報を表示器５，６に出力する制御を行えばよい。
【００２６】
実施の形態２．
実施の形態１の列車搭載コンテンツ配信システムでは、２台の表示器に同一の内容を表示する実施形態を示すものであったが、実施の形態２の列車搭載コンテンツ配信システムでは、２台の表示器に異なる内容を表示する実施形態を示すものである。ここで２台の表示器とは、例えば各車両扉上部の鴨居部分に横並びで設置される表示器である。なお、異なる内容とは、第１および第２の表示器に表示する内容が共に運行画像または共に広告・案内画像の場合や、第１の表示器に表示する内容が運行画像であり、第２の表示器に表示する内容が運行画像および広告・案内画像の場合などがあることを意味する。
【００２７】
図５は、実施の形態２の列車搭載コンテンツ配信システムの機能を具現する列車情報装置１、映像情報配信装置２および表示制御装置４の細部構成を示す図である。図２に示す実施の形態１との相違点は、表示制御装置４に左側表示器である表示器（第１の表示器）５および右側表示器である表示器６を個々に制御するための左側表示器制御部（第１の表示器制御部）４１ａおよび右側表示器制御部（第２の表示器制御部）４１ｂを設けた点のみである。なお、その他の構成部については、図２と同一符号を付し、重複する説明は省略する。
【００２８】
図６は、実施の形態２にかかる表示シーケンスと表示コンテンツの概念を説明するための図である。図６の上段部には、表示スケジュールデータの一例として表示シーケンス１〜５が示されている。また、図６の中段部および下段部には、表示シーケンス３において繰り返し表示される表示コンテンツが例示されている。表示シーケンス３には、左側表示器（表示器５）に表示する表示コンテンツと、右側表示器（表示器６）に表示する表示コンテンツとが含まれている。
【００２９】
また、左側表示器に表示する表示コンテンツには、運行画像スケジューラ２２の管理対象である運行画像１.１、２.１、３〜６、７.１が含まれ、図示の例では、「運行画像１.１」→「運行画像２.１」→「運行画像３」→「運行画像４」→「運行画像５」→「運行画像６」→「運行画像７.１」の順の表示シーケンスが組まれている。一方、右側表示器に表示する表示コンテンツには、運行画像スケジューラ２２の管理対象である運行画像１.２、２.２、７.２と、広告・案内画像スケジューラ２１の管理対象である広告・案内画像１〜３とが含まれており、図示の例では、「運行画像１.２」→「運行画像２.２」→「広告・案内画像１」→「広告・案内画像２」→「広告・案内画像３」→「運行画像７.１」の順の表示シーケンスが組まれている。なお、「運行画像１.１」と「運行画像１.２」とは、互いに関連する情報であり、例えば「運行画像１．１」が停車駅の情報であり、「運行画像１.２」がドアの開扉情報（例えばどちらのドアが開くのかを示す情報）である場合や、例えば「運行画像１．１」が次駅案内の情報であり、「運行画像１.２」が次駅の構内情報（例えば、エレベータ位置、階段位置などの情報）である場合などがある。このような互いに関連する情報を、同じタイミングで同期して左右の表示器に表示できるようにするのが、本実施の形態である。
【００３０】
なお、表示スケジュールデータは、表示するコンテンツ、表示時間などが記されている。表示シーケンスの間の移行は、列車情報装置１からの列車情報（キロ程情報、列車走行速度情報）を基に映像情報配信装置２が判断する。映像情報配信装置が次のシーケンスヘの移行を決定しなければ、表示シーケンス内のスケジュールは、繰り返し表示される。
【００３１】
つぎに、実施の形態２における表示制御について、図７を参照して説明する。図７は、実施の形態２の表示制御を説明するためのシーケンス図である。なお、列車搭載コンテンツ配信システムにおける全体の表示制御は、運行画像スケジューラ２２が統括し、広告・案内画像スケジューラ２１は運行画像スケジューラ２２の指示に従って動作する。ただし、表示シーケンスに含まれる広告・案内画像コンテンツの管理および広告・案内画像コンテンツに関する表示指令の発出は、広告・案内画像スケジューラ２１が行う。また、表示器５に対する表示制御は左側表示器制御部４１ａが行い、表示器６に対する表示制御は右側表示器制御部４１ｂが行う。
【００３２】
図７において、運行画像スケジューラ２２は、表示制御装置４の左側表示器制御部４１ａおよび右側表示器制御部４１ｂに対して運行画像生成指令を出力する（シーケンスＳＱ１０１）。運行画像生成指令を受領した左側表示器制御部４１ａは、左側表示器に表示する運行画像の準備を行い（ステップＳＴ１０１）、運行画像生成指令を受領した右側表示器制御部４１ｂは、右側表示器に表示する運行画像の準備を行う（ステップＳＴ１０２）。なお、運行画像は、通常、圧縮形式で保存されているため、そのままの状態では瞬時に表示することができず、これらステップＳＴ１０１，ＳＴ１０２の処理では、圧縮された運行画像を解凍する処理が実行される。左側表示器制御部４１ａおよび右側表示器制御部４１ｂは、運行画像の準備が完了すると、それぞれの準備完了を運行画像スケジューラ２２に通知する（シーケンスＳＱ１０２）。準備完了の通知を受けた運行画像スケジューラ２２は、左側表示器制御部４１ａおよび右側表示器制御部４１ｂに対し運行画像表示指令を出力する（シーケンスＳＱ１０３）。運行画像表示指令を同時期に受領した左側表示器制御部４１ａおよび右側表示器制御部４１ｂは、解凍済みの各運行画像をそれぞれの表示器に表示する（ステップＳＴ１０３，ＳＴ１０４）。このように、シーケンスＳＱ１０１〜ＳＱ１０３の処理、およびステップＳＴ１０１〜ＳＴ１０４の処理は、各表示器に運行画像を表示するための処理となる。なお、運行画像生成指令は、処理対象の運行画像よりも前に表示すべき運行画像が表示されているときに発出されることは無論である。
【００３３】
つぎに、運行画像表示から広告・案内画像表示への切替処理について説明する。なお、本シーケンスにおいて、広告・案内画像表示は、左側表示器で表示されるものとする。
【００３４】
図７の中段部に示すように、まず、左側表示器制御部４１ａにおいて、広告・案内画像蓄積処理が行われる（ステップＳＴ２０１）。この広告・案内画像蓄積処理では、広告・案内画像記憶バッファ４４に対し、表示対象の広告・案内画像コンテンツが蓄積される。広告・案内画像コンテンツの蓄積が完了すると、左側表示器制御部４１ａは、広告・案内画像スケジューラ２１に準備完了を通知し（シーケンスＳＱ２０２）、広告・案内画像スケジューラ２１は、運行画像スケジューラ２２に準備完了を通知する（シーケンスＳＱ２０３）。なお、ステップＳＴ２０１の広告・案内画像蓄積処理では、表示すべき全ての広告・案内画像コンテンツが蓄積されている必要はないことは、実施の形態２と同様である。
【００３５】
一方、ステップＳＴ２０１の広告・案内画像蓄積処理が行われるのと相前後し、運行画像スケジューラ２２から右側表示器制御部４１ｂに対して運行画像生成指令が出力される（シーケンスＳＱ２０１）。右側表示器制御部４１ｂは、運行画像の準備を行い（ステップＳＴ２０２）、準備が完了すると準備完了を運行画像スケジューラ２２に通知する（シーケンスＳＱ２０４）。
【００３６】
運行画像スケジューラ２２は、左側表示器制御部４１ａにおける運行画像表示から広告・案内画像表示への切替タイミングを把握しており、運行画像スケジューラ２２から広告・案内画像スケジューラ２１を経由して左側表示器制御部４１ａに指令が届くまでの時間を考慮し、且つ、左側表示器と右側表示器とで広告・案内画像表示と運行画像表示とが同期して切り替わるように、右側表示器制御部４１ｂに対し所定のタイミングで運行画像表示指令を発出すると共に（シーケンスＳＱ２０５）、広告・案内画像スケジューラ２１に対し所定のタイミングで広告・案内画像表示指令を発出する（シーケンスＳＱ２０６）。運行画像スケジューラ２２からの広告・案内画像表示指令を受領した広告・案内画像スケジューラ２１は、左側表示器制御部４１ａに対し広告・案内画像表示指令を発出する（シーケンスＳＱ２０７）。広告・案内画像表示指令を受領した左側表示器制御部４１ａは、広告・案内画像表示を開始し（ステップＳＴ２０３）、運行画像表示指令を同時期に受領した右側表示器制御部４１ｂは運行画像表示を開始する（ステップＳＴ２０４）。このようにして、運行画像表示から広告・案内画像表示への切替処理および運行画像表示と広告・案内画像表示との同期処理がシームレスに行われる。
【００３７】
つぎに、運行画像表示から広告・案内画像表示への切替処理について説明する。図７の下段部に示すように、まず、運行画像スケジューラ２２から左側表示器制御部４１ａおよび右側表示器制御部４１ｂに対して運行画像生成指令が発出され（シーケンスＳＱ３０１）、圧縮された運行画像を解凍する処理などをそれぞれが行って表示すべき運行画像の準備を行う（ステップＳＴ３０１，ＳＴ３０２）。左側表示器制御部４１ａおよび右側表示器制御部４１ｂは、運行画像の準備が完了すると、それぞれの準備完了を運行画像スケジューラ２２に通知する（シーケンスＳＱ３０３）。一方、広告・案内画像スケジューラ２１は、運行画像スケジューラ２２に対し現在表示中の広告・案内画像の終了時刻を予め通知しておく（シーケンスＳＱ３０２）。運行画像スケジューラ２２は、広告・案内画像表示から運行画像表示への切替タイミングを把握しており、また、現在、左側表示器にて広告・案内画像が表示され、右側表示器にて運行画像が表示されていることも把握している。運行画像スケジューラ２２は、運行画像スケジューラ２２から左側表示器制御部４１ａおよび右側表示器制御部４１ｂに指令が届くまでの時間や広告・案内画像表示が終了する時間などを考慮し、左側表示器制御部４１ａおよび右側表示器制御部４１ｂに対し所定のタイミングで運行画像表示指令を発出する（シーケンスＳＱ３０４）。運行画像表示指令を同時期に受領した左側表示器制御部４１ａおよび右側表示器制御部４１ｂは、運行画像表示を開始する（ステップＳＴ３０３，ＳＴ３０４）。このようにして、広告・案内画像表示から運行画像表示への切替処理および運行画像表示と広告・案内画像表示との同期処理がシームレスに行われる。
【００３８】
なお、上述した制御を行う場合、通常の表示スケジュールによる表示制御では、運行画像表示の終了時刻と広告・案内画像表示の終了時刻とを一致させることは困難である。そこで、右側表示器で表示される運行画像の表示の終了を、左側表示器で同時に表示されている広告・案内画像表示の終了に合わせ、場合によっては繰り返し表示させるなどして、視聴者に違和感のない運行画像を表示させることが好ましい。
【００３９】
また、上記の制御により、次のシーケンスの表示時間が短くなる可能性がある。この場合、表示スケジュールの表示シーケンス内の最後に組み込まれる運行画像（図６の例では「運行画像７.１」および「運行画像７.２」）については、例えば重要度が低い情報（例えば駅構内の情報のように、当該情報がなくても不満とならないような情報）としておけば、視聴者に不快感を与えない情報提供が可能となる。
【００４０】
以上説明したように、実施の形態２の列車搭載コンテンツ配信システムによれば、表示スケジュールに含まれる運行画像コンテンツを管理する運行画像スケジューラと、表示スケジュールに含まれる広告・案内画像コンテンツを管理する広告・案内画像スケジューラと、を有し、運行画像と広告・案内画像の双方を表示する第１の表示器において、運行画像から広告・案内画像への切り替えは、広告・案内画像スケジューラから、当該広告・案内画像の表示準備完了の通知を受けた運行画像スケジューラの制御によって実行し、また、第１の表示器において、広告・案内画像から運行画像への切り替えは、第２の表示器制御部から、当該運行画像の準備完了の通知と、広告・案内画像スケジューラから、現在表示されている広告・案内画像の表示終了時刻の通知と、を受けた運行画像スケジューラの制御によって実行することとしたので、広告・案内画像から運行画像、および運行画像から広告・案内画像へのシームレスな切り替えが可能となる。
【００４１】
なお、実施の形態２では、表示制御装置４に運行画像コンテンツ４６を記憶する記憶部４２および広告・案内画像記憶バッファ４４を設ける構成について示したが、記憶部４２および広告・案内画像記憶バッファ４４を映像情報配信装置２に設ける構成とすることも可能である。この場合、図７に示すシーケンスは、映像情報配信装置２の内部にて実行されるシーケンスとなり、表示器制御装置４の左側表示器制御部４１ａは、表示器５に向けて送信されてきた広告・案内画像または運行画像の情報を表示器５に出力する制御を行えばよく、右側表示器制御部４１ｂは、表示器６に向けて送信されてきた運行画像の情報を表示器６に出力する制御を行えばよい。また、表示器は左右２画面で説明したが、２画面以上の表示器の表示切替処理および同期処理をすることも可能である。
【符号の説明】
【００４２】
１  列車情報装置
２  映像情報配信装置
３  分岐装置
４  表示制御装置
５  表示器（第１の表示器）
６  表示器（第２の表示器）
１０ａ  列車識別情報
１０ｂ  列車位置情報
１０ｃ  列車運行情報
１０ｄ  列車現況情報
１０ｅ  列車指令情報
２１  広告・案内画像スケジューラ
２２  運行画像スケジューラ
２４，４２  記憶部
２６  広告・案内画像コンテンツ
４１  表示器制御部
４１ａ  左側表示器制御部（第１の表示器制御部）
４１ｂ  右側表示器制御部（第２の表示器制御部）
４４  広告・案内画像記憶バッファ
４６  運行画像コンテンツ
【図１】
2011004666.tif 000003
【図２】
2011004666.tif 000004
【図３】
2011004666.tif 000005
【図４】
2011004666.tif 000006
【図５】
2011004666.tif 000007
【図６】
2011004666.tif 000008
【図７】
2011004666.tif 000009
【国際調査報告】
2011004666.tif 000010
2011004666.tif 000011
2011004666.tif 000012
2011004666.tif 000013